(57)【特許請求の範囲】
【請求項１】
電極窓(4)を開口しているケース(1)と、このケース(1)に内蔵された基板(6)と、この基板(6)に連結されると共に、支持部(2)に保持されて定位置に配設されて、電極窓(4)からケース(1)の外部に表出されてなる弾性変形できる接点(5)とを備えるケースの外部に接点を表出させている電気機器において、接点(5)と支持部(2)とが以下の全ての構成を有することを特徴とする電気機器。
（ａ）  接点(5)は、弾性金属線をコイル状に卷いてなるコイル部(5A)を中間に有し、一端には基板(6)に接続される固定部(5B)を有し、他端にはケース(1)の内面に係止される係止部(5C)を有し、さらに、係止部(5C)とコイル部(5A)との間には電極窓(4)から外部に表出される接触部(5D)を有する。
（ｂ）  支持部(2)はケース(1)に一体成形して設けられると共に、ケース(1)の内面に突出して、ケース(1)と基板(6)との間に配設して設けられている。
（ｃ）  支持部(2)は、接点(5)のコイル部(5A)を入れて定位置に保持する保持ボックス(9)を有し、保持ボックス(9)の内部に、接点(5)のコイル部(5A)を入れて、接点(5)を定位置に保持している。
（ｄ）  保持ボックス(9)は基板(6)と対向する面を開口している。
【請求項２】
ケース(1)の内面に、接点(5)の接触部(5D)をケース(1)の電極窓(4)に出入りさせるガイド壁(11)を一体成形して設けており、ガイド壁(11)を電極窓(4)の両側に配設して、ガイド壁(11)の間で接触部(5D)を移動させて接触部(5D)を電極窓(4)にガイドする請求項１に記載されるケースの外部に接点を表出させている電気機器。
【請求項３】
保持ボックス(9)に、接点(5)のコイル部(5A)と接触部(5D)との間の上下移動部(5E)を、移動できるように案内するスリット(9A)を設けている請求項１に記載されるケースの外部に接点を表出させている電気機器。
【請求項４】
保持ボックス(9)の開口部を基板(6)で閉塞してなる請求項１に記載されるケースの外部に接点を表出させている電気機器。
【請求項５】
接点(5)の固定部(5B)がＵ曲形状で、Ｕ曲された先端部(5F)を挿入する挿入筒(10)を保持ボックス(9)に隣接して一体成形してなる請求項１に記載されるケースの外部に接点を表出させている電気機器。
【発明の詳細な説明】
【０００１】
【発明の属する技術分野】
本発明は、弾性変形できる接点を、ケースの電極窓から外部に表出させてなる電気機器に関する。
【０００２】
【従来の技術】
接点を外部に表出させている充電器等の電気機器は、装着されたパック電池等に接点を確実に接触させることが大切である。接点を、装着されたパック電池の充電端子に接触不良を起こさない状態で電気的に接続するためである。従来の接点構造は、接点の一端を、ケースに内蔵しているプリント基板に半田付けして固定して、定位置に配設している。さらに、接点を定位置に配設するために、プラスチック製の支持パーツを介して、接点をプリント基板に固定する充電器も開発されている。
【０００３】
支持パーツを介して接点を固定している接点構造は、支持パーツでもって、接点を決められた正確な位置に、しかも、特定の姿勢で配設できる特長がある。しかしながら、この構造の接点構造は、支持パーツと接点の両方をプリント基板に固定してケースに組み込む必要があるので、組み立てに手間がかかる欠点もある。
【０００４】
本願出願人は、このような欠点を解決することを目的に、図１に示す接点構造の電気機器を開発した。この接点構造の電気機器は、電極窓４を開口しているケース１に基板６を内蔵し、この基板６に支持パーツ１２を介して接点５を定位置に固定している。接点５を固定する支持パーツ１２は、ケース１と基板６との間にあって、基板６に連結して固定される。支持パーツ１２は、図２に示すように、接点５のコイル部５Ａを両側から挟着して定位置に保持する保持ボックス１３を有し、保持ボックス１３の間にコイル部５Ａの保持部１４を設けている。さらに、支持パーツ１２は、接点５の接触部５Ｄを上方に突出させる開口部１５を有し、接点５の接触部５Ｄは、支持部１２の開口部１５とケース１の電極窓４を通過して、ケース１の外部に表出している。
【０００５】
【発明が解決しようとする課題】
図１に示す接点構造の電気機器は、支持パーツ１２でもって、接点５を基板６の決められた位置に正確に固定できる。ただ、接点は基板に対して正確な位置に固定されるが、ケースに対しては、常に正確な姿勢で正確な位置に配設するのが難しい。それは、基板の取り付け位置がケースに対してずれると、接点の位置もずれてしまうからである。さらに、接点を、支持パーツと基板のふたつのパーツを介して定位置に配設するために、接点と支持パーツとの相対位置のずれと、基板と支持パーツとの相対位置のずれと、さらに、基板とケースとの相対位置のずれが累積されて、接点をケースに対して正確な位置に配設するのが極めて難しい。接点の位置がずれると、この電気機器に装着するパック電池等の端子に正確に電気接続することが難しく、接触不良の原因となる。
【０００６】
さらに、接点を基板に固定した状態で、基板をケースに装着するので、接点と基板の両方をケースに装着するのに手間がかかり、能率よく簡単に組み立てできない欠点もある。
【０００７】
本発明は、さらにこの欠点を解決することを目的に開発されたものである。本発明の重要な目的は、簡単かつ容易に、しかも能率よく組み立てできると共に、接点をケースに対して正確な位置に配設できるケースの外部に接点を表出させている電気機器を提供することにある。
【０００８】
【課題を解決するための手段】
本発明のケースの外部に接点を表出させている電気機器は、電極窓４を開口しているケース１と、このケース１に内蔵された基板６と、支持部２で定位置に配設されて、電極窓４からケース１の外部に表出している弾性変形できる接点５とを備える。
【０００９】
さらに、本発明の請求項１の電気機器は、以下の独特の構成の接点５と支持部２とを備える。
（ａ）  接点５は、弾性金属線をコイル状に卷いてなるコイル部５Ａを中間に有し、一端には基板６に接続される固定部５Ｂを有し、他端にはケース１の内面に係止される係止部５Ｃを有し、さらに、係止部５Ｃとコイル部５Ａとの間には電極窓４から外部に表出される接触部５Ｄを有する。
（ｂ）  支持部２はケース１に一体成形して設けられると共に、ケース１の内面に突出して、ケース１と基板６との間に配設して設けられている。
（ｃ）  支持部２は、接点５のコイル部５Ａを入れて定位置に保持する保持ボックス９を有し、保持ボックス９の内部に、接点５のコイル部５Ａを入れて、接点５を定位置に保持している。
（ｄ）  保持ボックス９は基板６と対向する面を開口している。
【００１０】
本発明の請求項２の電気機器は、ケース１の内面に、接点５の接触部５Ｄをケース１の電極窓４に出入りさせるガイド壁１１を一体成形して設けている。ガイド壁１１は、電極窓４の両側に配設して設けられ、このガイド壁１１の間に接点５の接触部５Ｄを移動させて、接触部５Ｄを電極窓４にガイドするようにしている。
【００１１】
本発明の請求項３の電気機器は、保持ボックス９に、接点５のコイル部５Ａと接触部５Ｄとの間の上下移動部５Ｅを案内するスリット９Ａを設けている。接点５の接触部５Ｄが電極窓４に出入りするとき、接点５の上下移動部５Ｅはスリット９Ａに沿って移動する。
【００１２】
本発明の請求項４の電気機器は、保持ボックス９の開口部を基板６で閉塞している。
【００１３】
本発明の請求項５の電気機器は、接点５の固定部５ＢをＵ曲形状とし、Ｕ曲された先端部５Ｆを挿入する挿入筒１０を、保持ボックス９に隣接して一体成形して設けている。
【００１４】
【発明の実施の形態】
以下、本発明の実施例を図面に基づいて説明する。ただし、以下に示す実施例は、本発明の技術思想を具体化するためのケース１の外部に接点５を表出させている電気機器を例示するものであって、本発明は電気機器を以下のものに特定しない。
【００１５】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１６】
以下、電気機器が充電器である実施例を詳述する。ただし、本発明は、電気機器を充電器に特定しない。電気機器には、ケースの外部に接点５を表出させている全ての電気機器とすることができる。
【００１７】
図３の断面図に示す充電器は、ケース１の上面に、パック電池を脱着するための装着部３を設けている。装着部３にセットされたパック電池を充電するために、装着部３の底面に、電極窓４を開口して、ここに接点５を表出させている。接点５が装着部３にセットされたパック電池の充電端子に接続されて、パック電池が充電される。
【００１８】
図の充電器は、パック電池を装着して二次電池を充電する。充電器は、パック電池を内蔵している電子機器を装着して、電子機器に内蔵されるパック電池を充電することもできる。電子機器を装着する充電器は、装着部の構造を電子機器を脱着できるように装着できる構造とする。
【００１９】
図の充電器は、接点５を外部に突出させる電極窓４を開口しているケース１と、このケース１に内蔵された基板６と、この基板６に固定されて、電極窓４からケース１の外部に表出されてなる弾性変形できる接点５とを備え、接点５はケース１に内蔵される充電回路（図示せず）に接続される。
【００２０】
ケース１はプラスチック製の上ケース１Ａと下ケース１Ｂとからなり、上下のケース１を連結して、基板６を上下で挟着して定位置に固定している。基板６を固定するために、上ケース１Ａと下ケース１Ｂは、内面に突出して基板６を挟着する挟着凸部７を一体成形して設けている。ケース１は、図４に示すように、基板６を貫通して、基板６を定位置に位置決めする突起８も一体成形して設けている。上下のケース１は、周縁を溶着あるいは接着して連結され、あるいは、図示しないが、止ネジを介して連結される。互いに連結された上下のケース１は、基板６の上面を上ケース１Ａの挟着凸部７で押圧し、下面を下ケース１Ｂの挟着凸部７で押圧して、挟着される状態でケース１の定位置に固定される。
【００２１】
上ケース１Ａは、接点５を定位置に保持する支持部２を一体成形して設けている。支持部２は、ケース１の内面に突出して設けられる。上ケース１Ａの内面に設けられる支持部２を図５の斜視図に示している。この図の支持部２は、接点５のコイル部５Ａを入れて定位置に保持する保持ボックス９を有する。保持ボックス９は、内部に接点５のコイル部５Ａを入れて、接点５を定位置に保持できる角筒状に形成している。保持ボックス９は、接点５のコイル部５Ａを入れて位置ずれしない状態で保持し、かつ、図３の鎖線で示すように、接点５を弾性変形できる状態で収納する。したがって、保持ボックス９の内形は、接点５のコイル部５Ａの外形よりも多少大きく成形される。ただ、保持ボックス９の内幅は、コイル部５Ａの横幅にほぼ等しくして、接点５のコイル部５Ａを多少押圧する状態で収納することもできる。
【００２２】
図の支持部２は、保持ボックス９に隣接して、挿入筒１０をケース１に一体成形して設けている。挿入筒１０は、Ｕ曲された接点５の先端部５Ｆを挿入して、定位置に保持する。図の挿入筒１０は、側面をスリット状に開口して、挿入している接点５の先端部５Ｆを横に移動して引出しできる構造としている。
【００２３】
さらに、図に示す支持部２は、保持ボックス９に、接点５のコイル部５Ａと接触部５Ｄとの間の上下移動部５Ｅを案内するスリット９Ａを設けている。図３において、接点５の接触部５Ｄは上下に移動して、電極窓４を出入りする。接触部５Ｄが電極窓４に出入りする方向に移動するとき、上下移動部５Ｅはスリット９Ａに沿って上下に移動する。したがって、スリット９Ａの幅は、接点５の線径よりも多少広くしている。
【００２４】
さらに、図に示す支持部２は、ケース１の内面に突出して、接点５の接触部５Ｄをケース１の電極窓４に出入りさせるガイド壁１１を一体成形して設けている。ガイド壁１１は電極窓４の両側に配設される。ガイド壁１１は、接点５の接触部５Ｄを自由に移動できる状態で両側から保持する。したがって、ガイド壁１１の間隔は、接点５の線径よりも多少広い。さらに、ガイド壁１１の内面は、電極窓４の内面と同一平面に配設される。接点５の接触部５Ｄを、電極窓４にスムーズに出入りさせるためである。接点５の接触部５Ｄを、ガイド壁１１で上下に案内する支持部２は、接触部５Ｄを電極窓４にスムーズに出入りできる状態で保持する。
【００２５】
支持部２の保持ボックス９と挿入筒１０は、基板６を外した状態で、接点５のコイル部５Ａと先端部５Ｆとを挿入できるように、基板６と対向する面、図３において下面、図５においては上面を開口している。保持ボックス９と挿入筒１０の開口部は、基板６を定位置に固定した状態で、基板６に閉塞される。
【００２６】
接点５は、図５の斜視図に示すように、弾性金属線をコイル状に卷いてなるコイル部５Ａを中間に設け、一端部には基板６に接続される固定部５Ｂを設け、他端にはケース１の内面に係止される係止部５Ｃを設け、さらに、係止部５Ｃとコイル部５Ａとの間には、電極窓４から外部に表出される接触部５Ｄを設けている。
【００２７】
固定部５ＢはＵ字状に折曲されて、折曲した先端部５Ｆを挿入筒１０に入れて支持部２に保持される。固定部５ＢのＵ曲部分は、コイル部５Ａよりも上方に突出している。この部分を基板６に貫通させて、基板６に半田付けして連結するためである。
【００２８】
接触部５Ｄは、ケース１に設けた電極窓４から外部に突出できるように、山形に折曲加工している。接触部５Ｄは、先端を水平方向に延長して係止部５Ｃとしてる。さらに、図５に示す接点５は、接触部５Ｄとコイル部５Ａとの間を上下移動部５Ｅとして、この部分を、ケース１の支持部２に設けたスリット９Ａに案内している。
【００２９】
図５の接点５は、コイル部５Ａを保持ボックス９に入れ、Ｕ曲された固定部５Ｂの先端部５Ｆを挿入筒１０に挿入し、上下移動部５Ｅをスリット９Ａに案内し、接触部５Ｄをガイド壁１１の間から電極窓４に突出させて、ケース１の支持部２に装着される。接点５をケース１の支持部２に装着した後、基板６を定位置にセットし、接点５の固定部５Ｂを基板６に半田付けして、接点５を基板６に固定する。その後、上ケース１に下ケース１を連結してケース１を閉塞して組み立てられる。
【００３０】
【発明の効果】
本発明のケースの外部に接点を表出させている電気機器は、簡単かつ容易に、しかも能率よく組み立てできると共に、接点をケースに対して正確な位置に配設できる特長がある。それは、本発明の電気機器が、接点を保持する支持部をケースの内面に一体成形して設けており、この支持部の保持ボックスに接点のコイル部を入れて接点を定位置に保持しているからである。この構造の電気機器は、ケースに一体成形された支持部の保持ボックスに、直接に接点のコイル部を入れて配設できるので、接点をケースに対して常に正確な姿勢で正確な位置に、しかも、接点を変形させることなく配設できる。このため、本発明の電気機器は、正確な位置に配設される接点でもって、装着するパック電池等の端子に、正確な位置で、しかも最適な接触圧で電気接続して、接触不良等を有効に防止できる特長が実現できる。
【００３１】
さらに、本発明の電気機器は、従来のように、保持パーツを介することなく接点をケースの定位置に配設できるので、組み立てを簡単にして、しかも、部品コストを低減して安価に多量生産できる特長がある。とくに、本発明の電気機器は、支持部の保持ボックスが、基板と対向する面を開口しているので、接点のコイル部をこの開口部から保持ボックスに入れて、極めて簡単に接点をケースの定位置に配設して、能率よく組み立てできる特長がある。
【００３２】
さらに、本発明の請求項２の電気機器は、接点の接触部を、より確実にガイド窓の正確な位置に配設できる特長がある。それは、この電気機器が、ケースの内面に、接点の接触部をケースの電極窓に出入りさせるガイド壁を一体成形して設けており、ガイド壁を電極窓の両側に配設すると共に、このガイド壁の間に接点の接触部を移動させて、接触部を電極窓に案内しているからである。
【００３３】
さらに、本発明の請求項３の電気機器は、接点の接触部が電極窓に出入りするとき、接触部の位置ずれを防止して、接触部を正確に上下に移動できる特長がある。それは、この電気機器が、保持ボックスにスリットを設けており、接点のコイル部と接触部との間の上下移動部をこのスリットに沿って移動させているからである。
【００３４】
本発明の請求項４の電気機器は、保持ボックスの開口部を基板で閉塞しているので、保持ボックスに挿入されたコイル部を位置ずれさせることなく、接点を正確な位置に保持して、接点の位置ずれを有効に防止できる特長がある。
【００３５】
本発明の請求項５の電気機器は、接点の固定部をＵ曲形状とし、Ｕ曲された先端部を挿入する挿入筒を、保持ボックスに隣接して一体成形して設けているので、接点の固定部をより確実にケースの定位置に固定して、接点の位置ずれを有効に防止できる特長がある。
【図面の簡単な説明】
【図１】本出願人が先に開発した電気機器の接点構造を示す断面図
【図２】図１に示す接点構造の支持パーツの拡大平面図
【図３】本発明の実施例のケースの外部に接点を表出させている電気機器の断面図
【図４】図３に示す電気機器の平面図
【図５】図３に示す電気機器の要部拡大分解斜視図
【符号の説明】
１…ケース              １Ａ…上ケース          １Ｂ…下ケース
２…支持部
３…装着部
４…電極窓
５…接点                ５Ａ…コイル部          ５Ｂ…固定部
５Ｃ…係止部            ５Ｄ…接触部
５Ｅ…上下移動部        ５Ｆ…先端部
６…基板
７…挟着凸部
８…突起
９…保持ボックス        ９Ａ…スリット
１０…挿入筒
１１…ガイド壁
１２…保持パーツ
１３…保持壁
１４…保持部
１５…開口部
【図１】
0003883733.tif 000002
【図２】
0003883733.tif 000003
【図３】
0003883733.tif 000004
【図４】
0003883733.tif 000005
【図５】
0003883733.tif 000006